(57)【要約】【課題】  ケーブルの線間容量を容易に計測する。【解決手段】  まず、スイッチＳＷａ，ＳＷｂ，ＳＷ１，ＳＷ２がオンになりケーブル１０が充電される。次に、スイッチＳＷ２がオフになりスイッチＳＷ４，ＳＷ５がオンになりケーブル１０が放電される。制御部１０１は、電圧計１０２によって測定される電圧値を用いてケーブル１０の放電特性を示す放電特性データ（ケーブル）Ｄ１０１を作成する。次に、スイッチＳＷａがオフになりスイッチＳＷ２，ＳＷ５がオンになり可変容量１０５が充電される。次に、スイッチＳＷ２がオフになりスイッチＳＷ４がオンになり可変容量１０５が放電される。制御部１０１は、電圧計１０２によって測定される電圧値を用いて可変容量１０５の放電特性を示す放電特性データ（ケーブル）Ｄ１０１を作成する。次に、表示部１０６は、放電特性データをグラフ化した表示データを表示する。【選択図】  図１
2006126044.tif 000002
【特許請求の範囲】
【請求項１】
伝送路の線間容量を測定する装置であって、
前記装置は、
前記伝送路を充電する充電部と、
前記充電部によって充電された伝送路を放電する放電部と、
前記放電部が伝送路を放電している期間に、当該伝送路における電圧値を測定する電圧測定部と、
前記電圧測定部が測定した前記伝送路における電圧値に基づいて、前記伝送路の放電特性を示す第１の曲線を作成するデータ作成部と、
前記データ作成部によって作成された第１の曲線とともに容量値が既知である容量の放電特性を示す第２の曲線を表示する表示部とを備える、
ことを特徴とする容量測定装置。
【請求項２】
請求項１において、
前記容量測定装置は、さらに、
任意の容量値に設定できる可変容量を備え、
前記充電部は、前記可変容量を充電し、
前記放電部は、前記充電部によって充電された可変容量を放電し、
前記電圧測定部は、
前記放電部が可変容量を放電している期間に、当該可変容量における電圧値を測定し、
前記データ作成部は、
前記電圧測定部が測定した可変容量における電圧値に基づいて、前記可変容量の放電特性を示す前記第２の曲線を作成する、
ことを特徴とする容量測定装置。
【請求項３】
請求項２おいて、
前記データ作成部は、
前記電圧測定部が測定した前記伝送路における電圧値を取得し当該電圧値の大きさと放電時間との関係を示す第１の放電特性データを作成し、前記電圧測定部が測定した前記可変容量における電圧値を取得し当該電圧値の大きさと放電時間との関係を示す第２の放電特性データを作成する放電特性記録部と、
前記放電特性記録部によって作成された第１の放電特性データと第２の放電特性データとを比較する比較部と、
前記比較部による比較の結果に応じて、前記放電特性記録部によって作成された第１の放電特性データを用いて前記第１の曲線を作成し、前記放電特性記録部によって作成された第２の放電特性データを用いて前記第２の曲線を作成する放電カーブ作成部と、
前記比較部による比較の結果に応じて、前記可変容量の容量値を調整する容量調整部と
を含む、
ことを特徴とする容量測定装置。
【請求項４】
請求項１において、
前記容量測定装置は、さらに、
複数の第２の放電特性データを格納する放電特性データ格納部を備え、
前記複数の第２の放電特性データの各々は、
所定の容量値を示す容量の放電特性を示し、
前記データ作成部は、
前記電圧測定部が測定した前記伝送路における電圧値を取得し当該電圧値の大きさと放電時間との関係を示す第１の放電特性データを作成する放電特性記録部と、
前記放電特性記録部によって作成された第１の放電特性データを参照して、前記放電特性データ格納部に格納された複数の第２の放電特性データのうち１つを選択する選択部と、
前記放電特性記録部によって作成された第１の放電特性データを用いて前記第１の曲線を作成し、前記選択部によって選択された第２の放電特性データを用いて前記第２の曲線を作成する放電カーブ作成部とを含む、
ことを特徴とする容量測定装置。
【発明の詳細な説明】
【技術分野】
【０００１】
この発明は、ケーブル等の伝送路の線間容量を計測する装置に関する。
【背景技術】
【０００２】
通信システムにおいて、伝送路の特性を一定に保つことは通信の品質を維持するために必要である。例えば、配電線遠方監視制御システムのように銅線を絶縁体によって被膜したケーブルが伝送路として用いられる通信システムでは、そのケーブルの線間容量が所定の大きさ以下になるように設置されている。
【０００３】
しかし、ケーブルを長年使用していると、銅線と絶縁体との間に水分等が付着し、線間容量が大きくなっていく。ケーブルの線間容量が大きくなると、その膨大な線間容量による影響を受け、そのケーブルを伝送する信号の品質が劣化するおそれがある。また、その線間容量に膨大なエネルギーが蓄積され、そのエネルギーによって伝送路に接続されている子局等が誤動作する可能性がある。
【０００４】
よって、線間容量の大きさが所定の範囲内であるか否かを検査しておく必要があり、所定の範囲以上の場合にはケーブルの交換を検討しなければならない。
【０００５】
そこで、従来、ホイートストンブリッジ等を用いてケーブルの線間容量を測定していた。
【特許文献１】特開２００２−６２３３１号公報
【特許文献２】特開２０００−９７８８号公報
【特許文献３】特開平１１−６８５４号公報
【特許文献４】特開平１０−２２７８１７号公報
【発明の開示】
【発明が解決しようとする課題】
【０００６】
しかし、従来行われているホイーストンブリッジを用いて線間容量を測定する手法では、ケーブル全体の線間容量を計測することができず、分割して計測する必要があり、手間と時間がかかる。
【０００７】
この発明の目的は、容易に線間容量を計測することができる装置を提供することである。
【課題を解決するための手段】
【０００８】
本発明による容量測定装置は、伝送路の線間容量を測定する。上記装置は、充電部と、放電部と、電圧測定部と、データ作成部と、表示部とを備える。充電部は、上記伝送路を充電する。放電部は、上記充電部によって充電された伝送路を放電する。電圧測定部は、上記放電部が伝送路を放電している期間に、その伝送路における電圧値を測定する。データ計測部は、上記電圧測定部が測定した上記伝送路における電圧値に基づいて、上記伝送路の放電特性を示す第１の曲線を作成する。表示部は、上記データ作成部によって作成された第１の曲線とともに容量値が既知である容量の放電特性を示す第２の曲線を表示する。
【０００９】
上記容量測定装置では、第２の曲線が第１の曲線に近いほど（類似しているほど）、ある容量（容量値が既知である容量）の容量値と伝送路の線間容量とが等しいことになる。よって、前記表示部によって表示された第１の曲線と第２の曲線と見比べることにより、前記伝送路の線間容量を相対的に求めることができる。これにより、従来のようにケーブルを分割して線間容量を測定する必要がなく、容易に線間容量を測定することができる。
【００１０】
好ましくは、上記容量測定装置は、さらに、任意の容量値に設定できる可変容量を備える。上記充電部は、上記可変容量を充電する。上記放電部は、上記充電部によって充電された可変容量を放電する。上記電圧測定部は、上記放電部が可変容量を放電している期間に、その可変容量における電圧値を測定する。上記データ作成部は、上記電圧測定部が測定した可変容量における電圧値に基づいて、上記可変容量の放電特性を示す上記第２の曲線を作成する。
【００１１】
上記容量測定装置では、第２の曲線が第１の曲線に近いほど（類似しているほど）、可変容量の容量値が伝送路の線間容量に近いことになる。よって、前記表示部によって表示された第１の曲線と第２の曲線と見比べることにより、前記伝送路の線間容量を相対的に求めることができる。これにより、従来のようにケーブルを分割して線間容量を測定する必要がなく、容易に線間容量を測定することができる。
【００１２】
好ましくは、上記データ作成部は、放電特性記録部と、比較部と、放電カーブ作成部と、容量調整部とを含む。放電特性記録部は、上記電圧測定部が測定した上記伝送路における電圧値を取得しその電圧値の大きさと放電時間との関係を示す第１の放電特性データを作成し、上記電圧測定部が測定した上記可変容量における電圧値を取得しその電圧値の大きさと放電時間との関係を示す第２の放電特性データを作成する。比較部は、上記放電特性記録部によって作成された第１の放電特性データと第２の放電特性データとを比較する。放電カーブ作成部は、上記比較部による比較の結果に応じて、上記放電特性記録部によって作成された第１の放電特性データを用いて上記第１の曲線を作成し、上記放電特性記録部によって作成された第２の放電特性データを用いて上記第２の曲線を作成する。容量調整部は、上記比較部による比較の結果に応じて、上記可変容量の容量値を調整する。
【００１３】
上記容量測定装置では、データ作成部は、第２の曲線が第１の曲線に近づくように可変容量の容量値を調整する。よって、表示部は、第１の曲線により近い第２の曲線を表示することができる。これにより、伝送路の線間容量をより正確に求めることができる。
【００１４】
好ましくは、上記容量測定装置は、さらに、放電特性データ格納部を備える。放電特性データ格納部は、複数の第２の放電特性データを格納する。上記複数の第２の放電特性データの各々は、所定の容量値を示す容量の放電特性を示す。上記データ作成部は、放電特性記録部と、選択部と、放電カーブ作成部とを含む。放電特性記録部は、上記電圧測定部が測定した上記伝送路における電圧値を取得しその電圧値の大きさと放電時間との関係を示す第１の放電特性データを作成する。選択部は、上記放電特性記録部によって作成された第１の放電特性データを参照して、上記放電特性データ格納部に格納された複数の第２の放電特性データのうち１つを選択する。放電カーブ作成部は、上記放電特性記録部によって作成された第１の放電特性データを用いて上記第１の曲線を作成し、上記選択部によって選択された第２の放電特性データを用いて上記第２の曲線を作成する。
【００１５】
上記容量測定処理は、データ作成部に含まれる選択部が上記放電特性データ格納部のデータ−を基に、第２の曲線が第１の曲線に近づくように、より適切な第２の曲線を選出する。よって、表示部は、第１の曲線により近い第２の曲線を表示することができる。これにより、伝送路の線間容量をより正確に求めることができる。
【発明の効果】
【００１６】
以上より、本発明によれば、表示部によって表示された第１の曲線と第２の曲線と見比べることにより、伝送路の線間容量を相対的に求めることができる。これにより、従来のようにケーブルを分割して線間容量を測定する必要がなく、容易に線間容量を測定することができる。
【発明を実施するための最良の形態】
【００１７】
以下、この発明の実施の形態を図面を参照して詳しく説明する。なお、図中同一または相当部分には同一の符号を付しその説明は繰り返さない。
【００１８】
（第１の実施形態）
＜全体構成＞
この発明の第１の実施形態による容量測定装置１の全体構成を図１に示す。この装置１は、被測定対象（例えば、ケーブル）を放電したときの特性と容量値が既知である容量を放電したときの特性とを比較することによって、被測定対象の線間容量を相対的に求める。この装置１は、制御部１０１と、直流電源１０２と、電圧計１０３と、抵抗１０４と、可変容量１０５と、表示部１０６と、スイッチＳＷａ，ＳＷｂ，ＳＷ１〜ＳＷ５とを備える。スイッチＳＷａは、一端が配線Ｌａに接続され、もう一端がケーブル１０等の被測定対象に接続される。スイッチＳＷｂは、一端が配線Ｌｂに接続され、もう一端が仮想負電位に設定される（例えば、被測定対象ケーブル片端に接続される）。制御部１０１は、スイッチＳＷ１〜ＳＷ５，可変容量１０５の制御，各データ（放電特性データ，特性差データ，放電カーブ，表示データ）の作成等を行う。放電特性データは、ケーブル１０または可変容量１０５の放電特性（放電時における電圧値の時間的変化）を示すデータであり、複数の電圧値（Ｖａ，Ｖｂ，Ｖｃ，・・・）と各々の電圧値に到達するまでの経過時間（Ｔａ１，Ｔａ２，Ｔａ３，・・・）とが対応付けられる（図４（ａ）参照）。特性差データは、ケーブル１０の放電特性と可変容量１０５の放電特性との誤差を示すデータであり、複数の電圧値（Ｖａ，Ｖｂ，Ｖｃ，・・・）の各々に対応する経過時間の誤差（Ｅａ１，Ｅｂ１，Ｅｃ１，・・・）が示されている（図４（ｂ）参照）。放電カーブは、放電特性データをグラフ化したデータであり、縦軸が電圧値を示し横軸が経過時間を示す（図４（ｃ）参照）。表示データは、放電カーブや特性差データを表示するためのデータである。直流電源１０２は、ケーブル１０および可変容量１０５のうちいずれか一方に直流電圧を印加する。電圧計１０３は、ケーブル１０−配線Ｌｂ間の電圧および可変容量１０５−配線Ｌｂ間の電圧のうちいずれか一方を測定する。抵抗１０４は、ケーブル１０および可変容量１０５のうちいずれか一方を放電するために設けられている。表示部１０６は、制御部１０１によって生成された放電カーブ等を表示する。
【００１９】
＜接続関係＞
直流電源１０２は、スイッチＳＷ２と配線Ｌｂとの間に接続される。電圧計１０３は、ノードＮ１０３と配線Ｌｂとの間に接続される。抵抗１０４は、ノードＮ１０４と配線Ｌｂとの間に接続される。可変容量１０５は、ノードＮ１０５と配線Ｌｂとの間に接続される。スイッチＳＷ１は、配線ＬａとノードＮ１０３との間に接続される。スイッチＳＷ２は、ノードＮ１０２と直流電源１０２との間に接続される。スイッチＳＷ３は、ノードＮ１０３とノードＮ１０４との間に接続される。スイッチＳＷ４は、ノードＮ１０４と抵抗１０４との間に接続される。スイッチＳＷ５は、ノードＮ１０２とノードＮ１０５との間に接続される。
【００２０】
＜制御部１０１の内部構成＞
図１に示した制御部１０１の内部構成を図２に示す。制御部１０１は、放電特性記録部１１１と、スイッチ切替部１１２と、カウンタ１１３と、放電カーブ作成部１１４と、容量設定部１１５とを含む。放電特性記録部１１１は、電圧計１０３によって測定された電圧値の監視，スイッチ切替部１１２およびカウンタ１１３を制御するための切替指示信号の出力，放電特性データおよび特性差データの作成等を行う。スイッチ切替部１１２は、外部からの測定開始信号または放電特性記録部１１１からの切替指示信号を入力すると、その入力した信号に応じてスイッチＳＷ１〜ＳＷ５を「ＯＮ」／「ＯＦＦ」する。カウンタ１１３は、放電特性記録部１１１からの切替指示信号を入力すると、放電開始時からの経過時間を計測するためにカウントを開始する。容量設定部１１５は、外部から入力された容量値に応じて、可変容量１０５の容量値をその入力した容量値に設定する。放電カーブ作成部１１４は、放電特性記録部１１１によって作成された放電特性データおよび特性差データを用いて、表示データを作成し、作成した表示データを表示部１０６に出力する。
【００２１】
＜動作＞
次に、図１に示した容量測定装置１による動作について説明する。容量測定装置１による動作は、ケーブル１０を充電／放電するケーブル処理モード，可変容量１０５を充電／放電する可変容量処理モードとがある。
【００２２】
［ケーブル処理モード］
《ケーブル充電》
まず、スイッチＳＷａの一端がケーブル１０に接続され、スイッチＳＷｂの一端が被測定対象ケーブル片端に接続される。
【００２３】
次に、外部から（例えば、観測者によって）測定開始信号が容量測定装置１に入力される。
【００２４】
次に、制御部１０１に含まれるスイッチ切替部１１２は、外部からの測定開始信号を入力すると、スイッチＳＷａ，ＳＷｂ，ＳＷ１，ＳＷ４を「ＯＮ」にする。スイッチＳＷ１が「ＯＮ」になることにより電圧計１０３がケーブル１０と接続されるので、電圧計１０３は、ケーブル１０−配線Ｌｂ間の電圧を測定することができる。また、放電特性記録部１１１は、「ケーブル」の文字が書き込まれた放電特性データＤ１０１を作成する（以下、「ケーブル」の文字が書き込まれた放電特性データを放電特性データ（ケーブル）Ｄ１０１と記す。）。
【００２５】
次に、スイッチ切替部１１２は、スイッチＳＷ２を「ＯＮ」にする。これにより、直流電源１０２からの直流電圧がケーブル１０に印加される。このようにしてケーブル１０に電荷が蓄積され、電圧計１０３によって測定される電圧値は、上昇していく。
【００２６】
次に、放電特性記録部１１１は、電圧計１０３によって測定された電圧値が上昇しなくなる（電圧値がほぼ一定になる）と、スイッチ切替部１１２およびカウンタ１１３に切替指示信号を出力する。例えば、放電特性記録部１１１は、電圧計１０３によって計測された電圧値を一定時間間隔で検出しており、ほぼ等しい電圧値をＮ回以上（Ｎは整数：例えば２０回）検出すると切替指示信号を出力する。
【００２７】
《放電》
次に、スイッチ切替部１１２は、放電特性記録部１１１からの切替指示信号を入力すると、スイッチＳＷ２を「ＯＦＦ」にするとともにスイッチＳＷ５を「ＯＮ」にする。また、カウンタ１１３は、放電特性記録部１１１からの切替指示信号を入力すると、放電開始（スイッチＳＷ５を「ＯＮ」にしたとき）からの経過時間を計測するために、カウントを開始する。
【００２８】
このとき、スイッチＳＷ５を「ＯＮ」にすることにより、抵抗１０４がケーブル１０と接続されるので、ケーブル１０内に蓄積された電荷が抵抗１０４を介して配線Ｌｂに流れる。よって、ケーブル１０に電荷が蓄積された電荷が放電するので、電圧計１０３によって測定される電圧値は、下降していく。
【００２９】
一方、放電特性記録部１１１は、電圧計１０３によって測定された電圧値が所定の電圧値になる度に（例えば、１Ｖ降下する度に）、その電圧値とカウンタ１１３によって計測されたカウント値（経過時間）とを放電特性データ（ケーブル）Ｄ１０１に書き込む。例えば、電圧計１０３が測定した電圧値が「Ｖａ１」になると、放電特性記録部１１１は、放電特性データ（ケーブル）Ｄ１０１に対して電圧値Ｖａ１を書き込むとともにその電圧値Ｖａ１に対応する経過時間Ｔａ１としてカウンタ１１３によって測定されたカウント値を書き込む。
【００３０】
このようにして、電圧計１０３によって測定された電圧値が所定の電圧値になる度に、ケーブル１０の放電特性を示す放電特性データ（ケーブル）Ｄ１０１に新たな電圧値および経過時間が書き込まれていく（図３（ａ））。
【００３１】
次に、放電カーブ作成部１１４は、放電特性記録部１１１によって作成された放電特性データ（ケーブル）Ｄ１０１を入力し、入力した放電特性データ（ケーブル）Ｄ１０１を用いて図３（ｂ）のような放電カーブＤ１０２を作成する（以下、放電特性データ（ケーブル）から作成した放電カーブを放電カーブ（ケーブル）Ｄ１０２と記す）。
【００３２】
次に、放電カーブ作成部１１４は、放電特性記録部１１１から入力した放電特性データ（ケーブル）Ｄ１０１と作成した放電カーブ（ケーブル）Ｄ１０２とを表示データとして表示部１０６に出力する。
【００３３】
次に、表示部１０６は、放電カーブ作成部１１４から入力した表示データを表示する。
【００３４】
このようにして、ケーブル１０の放電特性が可視的に表示される。
【００３５】
〔可変容量処理モード〕
次に、観測者は、表示部１０６に表示された放電カーブ（ケーブル）Ｄ１０２等を観測し、ケーブル１０において放電カーブの軌線に差違がほとんどないと判断すると、容量値（ここでは、容量値Ｃ２とする。）を入力する。容量設定部１１５は、可変容量１０５の容量値を外部から入力された容量値Ｃ２（観測者によって入力された容量値Ｃ２）に設定する。また、放電特性記録部１１１は、容量設定部１１５に設定された容量値Ｃ２を書き込んだ放電特性データＤ２０１を作成する（以下、容量値Ｃ２が書き込まれた放電特性データを放電特性データ（容量値Ｃ２）Ｄ２０１と記す。）。
【００３６】
《充電》
次に、観測者によって測定開始信号が容量測定装置１に入力される。
【００３７】
次に、スイッチ切替部１１２は、外部からの測定開始信号を入力すると、スイッチＳＷａ，ＳＷ１，ＳＷ４を「ＯＦＦ」にするとともにスイッチＳＷ３を「ＯＮ」にする。これにより、電圧計１０３が可変容量１０５の一端と接続されるので、電圧計１０３は、可変容量１０５−配線Ｌｂ間の電圧を測定することができる。
【００３８】
次に、スイッチ切替部１１２は、スイッチＳＷ２を「ＯＮ」にする。これにより、直流電源１０２からの直流電圧が可変容量１０５に印加される。このようにして可変容量１０５に電荷が蓄積され、電圧計１０３によって測定される電圧値は、上昇していく。
【００３９】
次に、放電特性記録部１１１は、電圧計１０３によって測定された電圧値が上昇しなくなる（電圧値がほぼ一定になる）と、スイッチ切替部１１２およびカウンタ１１３に切替指示信号を出力する。
【００４０】
《放電》
次に、スイッチ切替部１１２は、放電特性記録部１１１からの切替指示信号を入力すると、スイッチＳＷ５を「ＯＦＦ」にするとともにスイッチＳＷ４を「ＯＮ」にする。また、カウンタ１１３は、放電特性記録部１１１からの切替指示信号を入力すると、放電開始からの時間を計測するために、カウントを開始する。
【００４１】
このとき、スイッチＳＷ４を「ＯＮ」にすることにより、抵抗１０４が可変容量１０５と接続されるので、可変容量１０５内に蓄積された電荷が抵抗１０４を介して配線Ｌｂに流れる。よって、可変容量１０５に蓄積された電荷が放電するので、電圧計１０３によって測定される電圧値は、下降していく。
【００４２】
一方、放電特性記録部１１１は、電圧計１０３によって測定された電圧値が所定の電圧値になる度に（例えば、１Ｖ降下する度に）、その電圧値とカウンタ１１３によって計測されたカウント値（経過時間）とを放電特性データ（容量値Ｃ２）Ｄ２０１に書き込む。例えば、電圧計１０３が測定した電圧値が「Ｖａ１」になると、放電特性記録部１１１は、放電特性データ（容量値Ｃ２）Ｄ２０１に対して電圧値Ｖａ１を書き込むとともにカウンタ１１３によって測定されたカウント値を経過時間Ｔａ２として書き込む。
【００４３】
このようにして、電圧計１０３によって測定された電圧値が所定の電圧値になる度に、可変容量１０５の放電特性を示す放電特性データ（容量値Ｃ２）Ｄ２０１に新たな電圧値および経過時間が書き込まれていく（図４（ａ））。
【００４４】
次に、放電特性記録部１１１は、ケーブル処理モードにおいて作成した放電特性データ（ケーブル）Ｄ１０１と可変容量処理モードにおいて作成した放電特性データ（容量値Ｃ２）Ｄ２０１との誤差を求め、放電特性データ（ケーブル）Ｄ１０１と放電特性データ（容量値Ｃ２）Ｄ２０１との特性差を示す特性差データを作成する（以下、放電特性データ（ケーブル）と放電特性データ（容量値Ｃ２）との特性差を示す特性差データを特性差データ（ケーブル−容量値）Ｄ２０２と記す）。例えば、放電特性記録部１１１は、以下に示す（式１）より各々の電圧値に到達するまでの経過時間の誤差を算出する。
【００４５】
「Ｖａ１に到達するまでの経過時間の誤差（Ｅａ２）」＝「放電特性データ（容量値Ｃ２）Ｄ２０１に書き込まれている経過時間（Ｔａ２）」−「放電特性データ（ケーブル）Ｄ１０１に書き込まれている経過時間（Ｔａ１）」・・・（式１）
このようにして、特性差データ（ケーブル−容量値Ｃ２）Ｄ２０２が作成される（図４（ｂ））。
【００４６】
次に、放電カーブ作成部１１４は、放電特性記録部１１１によって作成された放電特性データ（容量値Ｃ２）Ｄ２０１および特性差データ（ケーブル−容量値Ｃ２）Ｄ２０２を入力し、入力した放電特性データ（容量値Ｃ２）Ｄ２０１を用いて放電カーブＤ２０３を作成する（以下、放電特性データ（容量値Ｃ２）より作成した放電カーブを放電カーブ（容量値Ｃ２）Ｄ２０３と記す）。
【００４７】
次に、放電カーブ作成部１１４は、放電特性記録部１１１から入力した特性差データ（ケーブル−容量値Ｃ２）Ｄ２０２，作成した放電カーブ（容量値Ｃ２）Ｄ２０３，およびケーブル処理モードにおいて作成した放電カーブ（ケーブル）Ｄ１０２を表示データとして表示部１０６に出力する。なお、２つの放電カーブは図４（ｃ）のように１つのグラフ中に示される。
【００４８】
表示部１０６は、放電カーブ作成部１１４から入力した表示データを表示する。
【００４９】
このようにして、ケーブル１０の放電特性と容量値Ｃ２を有する可変容量１０５の放電特性とがグラフ（放電カーブ）として表示されるので、両者の放電特性を可視的に比較することができる。例えば、図４（ｃ）のように、放電カーブ（容量値Ｃ２）Ｄ２０３の方が放電カーブ（ケーブル）Ｄ１０２よりも右側に表示されているとする。容量値が大きいほど放電するために要する時間は長くなるので、ケーブル１０および可変容量１０５のうち容量値が大きい方の放電特性を示す放電カーブが右側に表示される。よって、この場合（図４（ｃ）の場合）、可変容量１０５に設定された容量値は、ケーブル１０の線間容量よりも大きいと判断することができる。つまり、２つの曲線の位置関係によって、ケーブル１０の線間容量を相対的に求めることができる。
【００５０】
＜測定のやり直し＞
ここで、例えば、観測者が表示部１０６に表示された表示データを見てケーブル１０の放電カーブと容量値Ｃ２を示す可変容量１０５の放電カーブとが一致しないと判断すると、観測者は、容量値（ここでは、容量値Ｃ３とする。）を新たに入力する。容量設定部１１５は、可変容量１０５の容量値を新たに入力された容量値Ｃ３に設定する。また、放電特性記録部１１１は、容量設定部１１５に設定された容量値Ｃ３を書き込んだ放電特性データＤ３０１を作成する（以下、容量値Ｃ２が書き込まれた放電特性データを放電特性データ（容量値Ｃ３）Ｄ３０１と記す。）。
【００５１】
次に、観測者によって測定開始信号が容量測定装置に入力される。これにより、可変容量処理モードにおける処理が再び行われ、再設定された容量値Ｃ３を示す可変容量１０５の放電特性を示す放電特性データ（容量値Ｃ３）Ｄ３０１（図５（ａ））が完成し、表示部１０６には放電カーブ（ケーブル）Ｄ１０２，放電カーブ（容量値Ｃ３）Ｄ３０３，および特性差データ（ケーブル−容量値Ｃ３）Ｄ３０２（図５（ｂ））を含む表示データが表示される。なお、２つの放電カーブは図５（ｃ）のように１つのグラフ中に示される。
【００５２】
このようにして、可変容量１０５の放電カーブがケーブル１０の放電カーブに一致すると判断されるまで、容量値，測定開始信号が入力され測定が続く。
【００５３】
＜効果＞
以上のように、本実施形態によれば、従来のようにケーブルを分割して線間容量を測定する必要がなく、容易に線間容量を測定することができる。
【００５４】
また、ケーブル１０の放電特性および可変容量１０５の放電特性が放電カーブとして可視化される。したがって、観測者は、両者の放電カーブを見比べることができるので、容易に線間容量を求めることができる。
【００５５】
なお、放電特性記録部１１１が電圧計１０３によって測定された電圧値を監視しており、所定の時間が経過するたびに、その経過時間とその経過時間の時に電圧計１０３によって測定された電圧値とを放電特性データに書き込む構成も可能である。
【００５６】
また、所定の規格で定められた線間容量の最大値（例えば、通信を正常に行える限界値）を制御部１０１に入力する容量値とすれば、表示部１０６に表示される２つの放電カーブの位置関係よりケーブル１０の線間容量がその規格に定められた範囲内（例えば、通信を正常に行える範囲内）であるか否かを容易に検査することができる。
【００５７】
（第２の実施形態）
＜全体構成＞
この発明の第２の実施形態による容量測定装置２は、図１に示した制御部１０１に代えて制御部２０１を備える。その他の構成は図１と同様である。制御部２０１は、スイッチＳＷ１〜ＳＷ５，可変容量１０５の制御，各データ（放電特性データ，特性差データ，放電カーブ，表示データ）の作成，ケーブル１０の放電特性データと可変容量１０５の放電特性データとの比較等を行う。
【００５８】
＜制御部２０１の内部構成＞
この発明の第２の実施形態における制御部２０１の内部構成を図６に示す。制御部２０１は、放電特性記録部１１１と、スイッチ切替部２１２と、カウンタ１１３と、放電カーブ作成部１１４と、容量設定部２１５と、判定部２２０とを含む。スイッチ切替部２１２は、外部からの測定開始信号または放電特性記録部１１１からの切替指示信号を入力すると、その入力した信号に応じてスイッチＳＷ１〜ＳＷ５を「ＯＮ」／「ＯＦＦ」する。容量設定部２１５は、外部から入力された容量値に応じて、可変容量１０５の容量値をその入力した容量値に設定する。判定部２２０は、放電特性記録部１１１によって作成された特性差データを参照して、ケーブル１０の放電特性と可変容量１０５の放電特性との誤差が所定の範囲（許容範囲）内であるか否かを判断する。また、判定部２２０は、その誤差が許容範囲内でないと判断すると容量設定部２１５に設定された容量値を調整するとともにスイッチ切替部２１２に容量再測定信号を出力し、許容範囲内であると判断すると放電カーブ作成部１１４に放電特性データおよび特性差データを出力する。また、スイッチ切替部２１２は、判定部２２０からの容量再測定信号を入力すると、その入力した信号に応答してスイッチＳＷ１〜ＳＷ５を「ＯＮ」／「ＯＦＦ」する。放電カーブ作成部１１４は、判定部２２０から入力した放電特性データおよび特性差データを用いて、表示データを作成し、作成した表示データを表示部１０６に出力する。
【００５９】
＜動作＞
この発明の第２の実施形態による容量測定装置２の動作について説明する。容量測定装置２による動作は、ケーブル１０を充電／放電するケーブル処理モード，可変容量１０５を充電／放電する可変容量処理モード，および各動作モードにおいて作成された放電特性データを比較する比較モードがある。
【００６０】
［ケーブル処理モード］
《充電》
まず、スイッチＳＷａの一端がケーブル１０に接続され、スイッチＳＷｂの一端が被測定対象ケーブル片端に接続される。
【００６１】
次に、測定開始信号が容量測定装置２に入力される。
【００６２】
次に、制御部２０１に含まれるスイッチ切替部２１２は、外部からの測定開始信号を入力すると、スイッチＳＷａ，ＳＷｂ，ＳＷ１，ＳＷ４を「ＯＮ」にする。スイッチＳＷ１が「ＯＮ」になることにより、電圧計１０３がケーブル１０と接続されるので、電圧計１０３は、ケーブル１０−配線Ｌｂ間の電圧を測定することができる。また、放電特性記録部１１１は、放電特性データ（ケーブル）Ｄ１０１を作成する。
【００６３】
次に、スイッチ切替部２１２は、スイッチＳＷ２を「ＯＮ」にする。これにより、直流電源１０２からの直流電圧がケーブル１０に印加される。このようにしてケーブル１０に電荷が蓄積され、電圧計１０３によって測定される電圧値は、上昇していく。
【００６４】
次に、放電特性記録部１１１は、電圧計１０３によって測定された電圧値が上昇しなくなる（電圧値がほぼ一定になる）と、スイッチ切替部２１２およびカウンタ１１３に切替指示信号を出力する。
【００６５】
《放電》
次に、スイッチ切替部２１２は、放電特性記録部１１１からの切替指示信号を入力すると、スイッチＳＷ２を「ＯＦＦ」にするとともにスイッチＳＷ５を「ＯＮ」にする。また、カウンタ１１３は、放電特性記録部１１１からの切替指示信号を入力すると、放電開始（スイッチＳＷ５を「ＯＮ」にしたとき）からの経過時間を計測するために、カウントを開始する。
【００６６】
このとき、スイッチＳＷ５を「ＯＮ」になることにより、抵抗１０４がケーブル１０と接続されるので、ケーブル１０内に蓄積された電荷が抵抗１０４を介して配線Ｌｂに流れる。よって、ケーブル１０に蓄積された電荷が放電するので、電圧計１０３によって測定される電圧値は、下降していく。
【００６７】
一方、放電特性記録部１１１は、電圧計１０３によって測定された電圧値が所定の電圧値になる度に（例えば、１Ｖ降下する度に）、その電圧値とカウンタ１１３によって計測されたカウント値（経過時間）とを放電特性データ（ケーブル）Ｄ１０１に書き込む。
【００６８】
次に、放電特性記録部１１１は、電圧計１０３によって測定された電圧値が下降しなくなった（電圧値がほぼ一定になる）と判断すると、放電特性データ（ケーブル）Ｄ１０１に対して現在電圧計１０３によって測定されている電圧値を「電圧値Vlast」として書き込むとともにその電圧値Vlastに対応する経過時間Tlast１としてカウンタ１１３によって測定されたカウント値を書き込む。このようにして、ケーブル１０の放電特性を示す放電特性データ（ケーブル）Ｄ１０１が完成する（図３（a））。
【００６９】
〔可変容量処理モード〕
次に、観測者は、表示部１０６に表示された放電カーブ等を参照して、容量値（ここでは、容量値Ｃ２とする。）を入力する。容量設定部２１５は、可変容量１０５の容量値を観測者によって入力された容量値Ｃ２に設定する。また、放電特性記録部１１１は、放電特性データ（容量値Ｃ２）Ｄ２０１を作成する。
【００７０】
《充電》
次に、観測者によって測定開始信号が容量測定装置２に入力される。
【００７１】
次に、スイッチ切替部２１２は、外部からの測定開始信号を入力すると、スイッチＳＷａ，ＳＷ１，ＳＷ４を「ＯＦＦ」にするとともにスイッチＳＷ３を「ＯＮ」にする。これにより、電圧計１０３が可変容量１０５の一端と接続されるので、電圧計１０３は、可変容量１０５−配線Ｌｂ間の電圧を測定することができる
次に、スイッチ切替部２１２は、スイッチＳＷ２を「ＯＮ」にする。これにより、直流電源１０２からの直流電圧が可変容量１０５に印加される。このようにして可変容量１０５に電荷が蓄積され、電圧計１０３によって測定される電圧値は、上昇していく。
【００７２】
次に、放電特性記録部１１１は、電圧計１０３によって測定された電圧値が上昇しなくなる（電圧値がほぼ一定になる）と、スイッチ切替部２１２およびカウンタ１１３に切替指示信号を出力する。
【００７３】
《放電》
次に、スイッチ切替部２１２は、放電特性記録部１１１からの切替指示信号を入力すると、スイッチＳＷ５を「ＯＦＦ」にするとともにスイッチＳＷ４を「ＯＮ」にする。また、カウンタ１１３は、放電特性記録部１１１からの切替指示信号を入力すると、放電開始（スイッチＳＷ４を「ＯＮ」にしたとき）からの時間を計測するために、カウントを開始する。
【００７４】
このとき、スイッチＳＷ４を「ＯＮ」であるので、抵抗１０４が可変容量１０５と接続され、可変容量１０５内に蓄積された電荷が抵抗１０４を介して配線Ｌｂに流れる。よって、可変容量１０５に蓄積された電荷が放電するので、電圧計１０３によって測定される電圧値は、下降していく。
【００７５】
一方、放電特性記録部１１１は、放電特性記録部１１１は、電圧計１０３によって測定された電圧値が所定の電圧値になる度に（例えば、１Ｖ降下する度に）、その電圧値とカウンタ１１３によって計測されたカウント値（経過時間）とを放電特性データ（容量値Ｃ２）Ｄ２０１に書き込む。
【００７６】
次に、放電特性記録部１１１は、電圧計１０３によって測定された電圧値が下降しなくなった（電圧値がほぼ一定になる）と判断すると、放電特性データ（容量値Ｃ２）Ｄ２０１に現在電圧計１０３によって測定されている電圧値Vlastとその電圧値Vlastに対応する経過時間Tlast１としてカウンタ１１３によって測定されたカウント値を書き込む。このようにして、ケーブル１０の放電特性を示す放電特性データ（容量値Ｃ２）Ｄ２０１が完成する（図４（ａ））。
【００７７】
次に、放電特性記録部１１１は、ケーブル処理モードにおいて作成した放電特性データ（ケーブル）Ｄ１０１と可変容量処理モードにおいて作成した放電特性データ（容量値Ｃ２）Ｄ２０１との誤差を求め、特性差データ（ケーブル−容量値Ｃ２）Ｄ２０２を作成する。
【００７８】
〔比較モード〕
次に、判定部２２０は、放電特性記録部１１１によって作成された特性差データ（ケーブル−容量値Ｃ２）Ｄ２０２を参照して、放電特性データ（ケーブル）Ｄ１０１と放電特性データ（容量値Ｃ２）Ｄ２０１との誤差が許容範囲内であるか否かを判断する。例えば、判定部２２０は、特性差データに示された誤差のうち「＋５」以上または「−５」以下を示すものが半数以上あれば、許容範囲でないと判断する。
【００７９】
《誤差が許容範囲内でない場合》
ここで、判定部２２０は、放電特性データ（ケーブル）Ｄ１０１と放電特性データ（容量値Ｃ２）Ｄ２０１との誤差が許容範囲内でないと判断したとする。この場合、判定部２２０は、容量設定部２１５に設定された容量値を増加／減少する（ここでは、容量値Ｃ３になったものとする）。例えば、判定部２２０は、特性差データに示された誤差のうち「＋５」以上を示すものが半数以上あれば容量設定部２１５に設定された容量値を減少し、「−５」以下を示すものが半数以上あれば容量設定部２１５に設定された容量値を増加する。
【００８０】
容量設定部２１５は、可変容量１０５の容量値を判定部２２０によって調整された容量値Ｃ３に設定する。
【００８１】
次に、判定部２２０は、スイッチ切替部２１２に容量再測定信号を出力する。
【００８２】
次に、スイッチ切替部２１２は、判定部２２０からの容量再測定信号を入力すると、スイッチＳＷ４を「ＯＦＦ」にするとともにＳＷ５を「ＯＮ」にする。
【００８３】
次に、上述の可変容量処理モード（可変容量１０５を充電する行程〜放電特性記録部１１１が特性差データを作成する行程）が同様に行われ、判定部２２０は、放電特性記録部１１１によって作成された特性差データ（ケーブル−容量値Ｃ３）Ｄ３０２（図５（ｂ））を参照して、放電特性データ（ケーブル）Ｄ１０１と放電特性データ（容量値Ｃ３）Ｄ３０１との誤差が許容範囲内であるか否かを判断する。
【００８４】
《誤差が許容範囲内である場合》
ここで、判定部２２０は、放電特性データ（ケーブル）Ｄ１０１と放電特性データ（容量値Ｃ３）Ｄ３０１との誤差が許容範囲内であると判断したとする。この場合、判定部２２０は、放電特性データ（ケーブル）Ｄ１０１，放電特性データ（容量値Ｃ３）Ｄ３０１，および特性差データ（ケーブル−容量値Ｃ３）Ｄ３０２を放電カーブ作成部１１４に出力する。
【００８５】
次に、放電カーブ作成部１１４は、判定部２２０から入力した放電特性データ（ケーブル）Ｄ１０１および放電特性データ（容量値Ｃ３）Ｄ３０１を用いて放電カーブ（ケーブル）Ｄ１０２および放電カーブ（容量値Ｃ３）Ｄ３０３を作成する（図５（ｃ））。
【００８６】
次に、放電カーブ作成部１１４は、判定部２２０から入力した特性差データ（ケーブル−容量値Ｃ３）Ｄ３０２，作成した放電カーブ（ケーブル）Ｄ１０２，および放電カーブ（容量値Ｃ３）Ｄ３０３を表示データとして表示部１０６に出力する。
【００８７】
次に、表示部１０６は、放電カーブ作成部１１４から入力した表示データを表示する。
【００８８】
＜効果＞
以上のように、本実施形態によれば、従来のようにケーブルを分割して線間容量を測定する必要がなく、容易に線間容量を測定することができる。
【００８９】
また、判定部２２０によってケーブル１０の放電特性と可変容量１０５の放電特性とが比較されるので、第１の実施形態と比較すると、観測者は、より容易にケーブルの線間容量を測定することができる。
【００９０】
なお、本実施形態では、容量設定部２１５に容量値が入力される構成を説明したが、容量設定部２１５にあらかじめ容量値が設定されている構成も可能である。
【００９１】
なお、放電特性記録部１１１が電圧計１０３によって測定された電圧値に変化がないことを判断する方法としては、変化量ΔＶと変化判定時間ΔＴとの関係で規定する方法や、放電終止電位Vlastを数値規定する方法がある。
【００９２】
（第３の実施形態）
＜全体構成＞
この発明の第３の実施形態による容量測定装置３の全体構成を図７に示す。この装置３は、制御部３０１と、直流電源１０２と、電圧計１０３と、抵抗１０４と、表示部１０６と、放電特性データ格納部３０２とを備える。直流電源１０２，電圧計１０３，抵抗１０４，および表示部１０６の各々は、図１に示したものと同様である。放電特性データ格納部３０２は、複数の異なる容量値を示す容量をそれぞれ放電したときの放電特性データ（放電特性データ（容量値）Ｄ２０１，Ｄ３０１，・・・）を格納する。制御部３０１は、スイッチＳＷａ，ＳＷｂ，ＳＷ１，ＳＷ２，ＳＷ５および可変容量１０５の制御，各データ（放電特性データ，特性差データ，放電カーブ，表示データ）の作成，放電特性データ格納部３０２の中から放電特性データを選出する処理等を行う。
【００９３】
＜接続関係＞
直流電源１０２は、スイッチＳＷ２と配線Ｌｂとの間に接続される。電圧計１０３は、スイッチＳＷ１と配線Ｌｂとの間に接続される。抵抗１０４は、スイッチＳＷ５と配線Ｌｂとの間に接続される。スイッチＳＷ１は、配線Ｌａと電圧計１０３との間に接続される。スイッチＳＷ２は、ノードＮ１０２と直流電源１０２との間に接続される。スイッチＳＷ５は、ノードＮ１０２と抵抗１０４との間に接続される。
【００９４】
＜制御部３０１の内部構成＞
図７に示した制御部３０１の内部構成を図８に示す。制御部３０１は、放電特性記録部３１１と、スイッチ切替部１１２と、カウンタ１１３と、データ選択部３２０と、放電カーブ作成部１１４とを含む。放電特性記録部３１１は、電圧計１０３によって測定された電圧値の監視，スイッチ切替部１１２およびカウンタ１１３を制御するための切替指示信号の出力，放電特性データの作成等を行う。データ選択部３２０は、放電特性データ格納部３０２に格納された放電特性データ（容量値）Ｄ２０１，Ｄ３０１，・・・のうち放電特性記録部３１１から入力されたケーブル１０の放電特性データ（放電特性データ（ケーブル）Ｄ１０１）との誤差が最も小さいものを選出する。また、データ選択部３２０は、選出した放電特性データ（容量値），放電特性記録部３１１から入力した放電特性データ（ケーブル）Ｄ１０１，および放電特性データ（ケーブル）Ｄ１０１と放電特性データ（容量値）との特性差データ（特性差データ（ケーブル−容量値））を放電カーブ作成部１１４に出力する。放電カーブ作成部１１４は、放電特性記録部３１１によって作成された放電特性データおよび特性差データを用いて、表示データを作成し、作成した表示データを表示部１０６に出力する。
【００９５】
＜動作＞
図７に示した容量測定装置３による動作について説明する。
【００９６】
《充電》
まず、スイッチＳＷａの一端がケーブル１０に接続され、スイッチＳＷｂの一端が被測定対象ケーブル片端に接続される。
【００９７】
次に、観測者によって測定開始信号が容量測定装置３に入力される。
【００９８】
次に、制御部１０１に含まれるスイッチ切替部１１２は、外部からの測定開始信号を入力すると、スイッチＳＷａ，ＳＷｂ，ＳＷ１を「ＯＮ」にする。これにより、電圧計１０３がケーブル１０と接続されるので、電圧計１０３は、ケーブル１０−配線Ｌｂ間の電圧を測定することができる。また、放電特性記録部３１１は、「ケーブル」の文字が書き込まれた放電特性データ（ケーブル）Ｄ１０１を作成する。
【００９９】
次に、スイッチ切替部１１２は、スイッチＳＷ２を「ＯＮ」にする。これにより、直流電源１０２からの直流電圧がケーブル１０に印加される。このようにしてケーブル１０に電荷が蓄積され、電圧計１０３によって測定される電圧値は、上昇していく。
【０１００】
次に、放電特性記録部３１１は、電圧計１０３によって測定された電圧値が上昇しなくなる（電圧値がほぼ一定になる）と、スイッチ切替部１１２およびカウンタ１１３に切替指示信号を出力する。
【０１０１】
《放電》
次に、スイッチ切替部１１２は、放電特性記録部３１１からの切替指示信号を入力すると、スイッチＳＷ２を「ＯＦＦ」にするとともにスイッチＳＷ５を「ＯＮ」にする。また、カウンタ１１３は、放電特性記録部１１１からの切替指示信号を入力すると、放電開始（スイッチＳＷ５を「ＯＮ」にしたとき）からの経過時間を計測するために、カウントを開始する。
【０１０２】
このとき、スイッチＳＷ５を「ＯＮ」にすることにより、抵抗１０４がケーブル１０と接続されるので、ケーブル１０内に蓄積された電荷が抵抗１０４を介して配線Ｌｂに流れる。よって、ケーブル１０に電荷が蓄積された電荷が放電するので、電圧計１０３によって測定される電圧値は、下降していく。
【０１０３】
一方、放電特性記録部３１１は、電圧計１０３によって測定された電圧値が所定の電圧値になる度に（例えば、１Ｖ降下する度に）、カウンタ１１３によって計測されたカウント値（経過時間）を放電特性データ（ケーブル）Ｄ１０１に書き込む。
【０１０４】
このようにして、電圧計１０３によって測定された電圧値が所定の電圧値になる度に、ケーブル１０の放電特性を示す放電特性データ（ケーブル）Ｄ１０１に新たな電圧値および経過時間が書き込まれていく。
【０１０５】
次に、放電特性記録部１１１は、電圧計１０３によって測定された電圧値が下降しなくなった（電圧値がほぼ一定になる）と判断すると、放電特性データ（ケーブル）Ｄ１０１に対して現在電圧計１０３によって測定されている電圧値を「電圧値Vlast」として書き込むとともにその電圧値Vlastに対応する経過時間Tlast１としてカウンタ１１３によって測定されたカウント値を書き込む。このようにして、ケーブル１０の放電特性を示す放電特性データ（ケーブル）Ｄ１０１が完成する（図３（ａ））。
【０１０６】
次に、データ選択部３２０は、放電特性記録部３１１によって作成された放電特性データ（ケーブル）Ｄ１０１を入力する。
【０１０７】
次に、データ選択部３２０は、放電特性データ格納部３０２に格納された放電特性データ（容量値）Ｄ２０１，Ｄ３０１，・・・の中から適当に１つ（ここでは、放電特性データ（容量値Ｃ２）Ｄ２０１とする）を選出する。
【０１０８】
次に、データ選択部３２０は、放電特性記録部３１１から入力した放電特性データ（ケーブル）Ｄ１０１と放電特性データ格納部３０２から選出した放電特性データ（容量値Ｃ２）Ｄ２０１との誤差を求め、特性差データ（ケーブル−容量値Ｃ２）Ｄ２０２を作成する（図４（ｂ））。
【０１０９】
次に、データ選択部３２０は、特性差データ（ケーブル−容量値Ｃ２）Ｄ２０２を参照して、放電特性データ（ケーブル）Ｄ１０１と放電特性データ（容量値Ｃ２）Ｄ２０１との誤差が許容範囲内であるか否かを判断する。
【０１１０】
《誤差が許容範囲内でない場合》
ここで、データ選択部３２０が、放電特性データ（ケーブル）Ｄ１０１と放電特性データ（容量値Ｃ２）Ｄ２０１との誤差が許容範囲内でないと判断したとする。この場合、データ選択部３２０は、放電特性データ格納部３０２の中から別の放電特性データ（ここでは、放電特性データ（容量値Ｃ３）Ｄ３０１とする）を新たに選出する。
【０１１１】
次に、データ選択部３２０は、放電特性記録部３１１から入力した放電特性データ（ケーブル）Ｄ１０１と放電特性データ格納部３０２から選出した放電特性データ（容量値Ｃ３）Ｄ３０１との誤差を求め特性差データ（ケーブル−容量値Ｃ３）Ｄ３０２を作成し、放電特性データ（ケーブル）Ｄ１０１と放電特性データ（容量値Ｃ３）Ｄ３０１との誤差が許容範囲内であるか否かを判断する。
【０１１２】
《誤差が許容範囲内である場合》
ここで、データ選択部３２０が、放電特性データ（ケーブル）Ｄ１０１と放電特性データ（容量値Ｃ３）Ｄ３０１との誤差が許容範囲内であると判断したとする。この場合、データ選択部３２０は、選出した放電特性データ（容量値Ｃ３）Ｄ３０１，放電特性記録部３１１から入力した放電特性データ（ケーブル）Ｄ１０１，および特性差データ（ケーブル−容量値Ｃ３）Ｄ３０２を放電カーブ作成部１１４に出力する。
【０１１３】
次に、放電カーブ作成部１１４は、データ選択部３２０から入力した放電特性データ（ケーブル）Ｄ１０１および放電特性データ（容量値Ｃ３）Ｄ３０１を用いて、放電カーブ（ケーブル）Ｄ１０２および放電カーブ（容量値Ｃ３）Ｄ３０３を作成する（図５（ｃ））。
【０１１４】
次に、放電カーブ作成部１１４は、作成した放電カーブ（ケーブル）Ｄ１０２および放電カーブ（容量値Ｃ３）Ｄ３０３とデータ選択部３２０から入力した特性差データ（ケーブル−容量値Ｃ３）Ｄ３０２とを表示データとして表示部１０６に出力する。
【０１１５】
次に、表示部１０６は、放電カーブ作成部１１４から入力した表示データを表示する。
【０１１６】
＜効果＞
以上のように、本実施形態によれば、従来のようにケーブルを分割して線間容量を測定する必要がなく、容易に線間容量を測定することができる。
【０１１７】
なお、観測者が任意の容量値を容量測定装置３の制御部３０１に入力し、制御部３０１が放電特性データ格納部３０２に格納された放電特性データのうち観測者によって入力された容量値に応じた放電特性データを選択し放電カーブとして表示する構成も可能である。
【産業上の利用可能性】
【０１１８】
以上説明したように、本発明は、ケーブル等の伝送路の線間容量を測定する装置について有用である。
【図面の簡単な説明】
【０１１９】
【図１】この発明の第１の実施形態による容量測定装置の全体構成を示す図である。
【図２】図１に示した制御部１０１の内部構成を示すブロック図である。
【図３】ケーブル１０の放電特性を示す図である。
【図４】可変容量１０５（容量値Ｃ２）の放電特性を示す図である。
【図５】可変容量１０５（容量値Ｃ３）の放電特性を示す図である。
【図６】この発明の第２の実施形態における制御部２０１の内部構成を示すブロック図である。
【図７】この発明の第３の実施形態による容量測定装置の全体構成を示す図である。
【図８】図７に示した制御部３０１の内部構成を示すブロック図である。
【符号の説明】
【０１２０】
１，２，３    容量測定装置
１０１，２０１，３０１    制御部
１０２    直流電源
１０３    電圧計
１０４    抵抗
１０５    可変容量
１０６    表示部
ＳＷ１〜ＳＷ５    スイッチ
Ｌａ．Ｌｂ    配線
１１１，３１１    放電特性記録部
１１２，２１２    スイッチ切替部
１１３    カウンタ
１１４    放電カーブ作成部
１１５，２１５    容量設定部
２２０    判定部
３０２    放電特性データ格納部
３２０    データ選択部
【図１】
2006126044.tif 000003
【図２】
2006126044.tif 000004
【図３】
2006126044.tif 000005
【図４】
2006126044.tif 000006
【図５】
2006126044.tif 000007
【図６】
2006126044.tif 000008
【図７】
2006126044.tif 000009
【図８】
2006126044.tif 000010